(57)【要約】【課題】  ペニスの取り出しが頗る容易で、ファッション性に優れる男性用パンツを提供すること。【解決手段】  パンツ本体の正面中央に、下端が股間部に達し上端を本体中程までの長さに切断するとともに布材左右を幅狭に重ね合わせてなる前開き口を有するパンツにおいて本体のゴム紐口より股間部に至る正面側に前開き口を覆う略逆三角形状のカバー体を配置する。カバー体の下半部左右を除いて周縁を本体に縫着し、上半部と下半部間に横縫着部を設ける。【選択図】          図１
2005126878.tif 000002
【特許請求の範囲】
【請求項１】
パンツ本体の正面中央に、下端が股間部に達し上端を本体中程までの長さに切断するとともに布材左右を幅狭に重ね合わせてなる前開き口を有するパンツにおいて、本体のゴム紐口より股間部に至る正面側に上記前開き口を覆う略逆三角形状のカバー体を配置し、該カバー体の下半部左右を除いて周縁を本体に縫着するとともに、上半部と下半部間に横縫着部を設けてなる男性用パンツ。
【請求項２】
カバー体裏側に、遠赤外線放射物質を含有した薄手のスポンジ布を重ね合わせることを特徴とする請求項１記載の男性用パンツ。
【発明の詳細な説明】
【技術分野】
【０００１】  本発明は、見栄えがよく排尿に便利な男性用パンツに関する。
【背景技術】
【０００２】  高齢者や障害者にとって排尿時に手間がかゝるといわゆる粗相をすることにもなりかねず、したがってパンツからスムーズにペニスを取り出すことができれば望ましいが、通常のパンツは正面中央の布材左右を幅広に重ね合わせて片側の開き口からペニスを引き出す構造のものが殆どであり、片手でペニスを引き出すのに手間がかゝるという問題がある。ペニスを迅速に引き出すためには、パンツ正面を直接開口する考えもあるが、その場合ペニスが外側から見えてしまう欠点がある。そこで開口部の前面を覆うとともに左右に取出口を設けた別体の布材をあてがうことも一法であり、こうすることによって左右からペニスを引き出すことも可能となる（例えば特許文献１参照）。
【特許文献１】特開２００１−４０５０３
【発明の開示】
【発明が解決しようとする課題】
【０００３】  上記した技術は、パンツの前面中心を左右に開口し、上端に腹巻き機能を有する伸縮性帯部を配するとともに帯部から股下にかけて前部布を取り付けた構造のもので、前部布の左右からペニスを取り出しできる構成としてあるが、パンツの前面中心に開口部を設けると、ペニス先端部が開口個所に食い込み状に接触して感触が悪いという問題がある。また腹巻き機能は夏場のように気温が高く汗をかきやすい時季には不向きであり、しかも腹巻きと前部布が密着しているため装飾効果を施す余地はなく不体裁なため若者向きではないといった問題点もある。【０００４】  本発明はこのような従来のパンツとは異なり、左右からのペニスの出し入れが極めてス厶ーズで排尿に手間がかゝらないことは勿論、感触が良好で従来パンツには見られない独特の形態と美麗な外観を有し、老若を問わず好適する男性用パンツを提供しようとするものである。
【課題を解決するための手段】
【０００５】  すなわち本発明は、パンツ本体１の正面中央に、下端が股間部３に達し上端をパンツ中程までの長さに切断するとともに布材左右を幅狭に重ね合わせてなる前開き口２を有するパンツにおいて、本体１のゴム紐口４より股間部３直下に至る正面側に上記前開き口２を覆う略逆三角形状のカバー体５を配置し、該カバー体の下半部５ｂ左右を除いて周縁を本体に縫着Ｍするとともに、上半部５ａと下半部５ｂ間に横縫着部Ｎを設けることを技術手段とする。【０００６】  前記カバー体５裏側に、遠赤外線放射物質を含有した薄手のスポンジ布６を重ね合わせることでパンツを着装した時に人体への血流が促進される。またスポンジ布６にマグネット小片を埋設することもできる。
【発明の効果】
【０００７】  本発明では、パンツ本体の正面中央に前開き口を設けているが、この前開き口は股間部よりパンツの中程までの長さであるからペニスの位置と合致している。そしてカバー体の下半部左右はパンツと縫着されないため横方向は貫通形成されており、したがって下半部の左右いずれからもペニスを的確に取り出しでき、迅速にペニスを露出することができて排尿作業が遅滞なく行われ粗相をするおそれがない。【０００８】  前開き口は、パンツの中央を切断しパンツ布の左右を幅狭に重ね合わせて形成されたもので、普段はペニスの先端が布材内面に位置するので直接開口部にペニスが食い込む従来品と異なって感触が悪くなるといったおそれがなく、然も排尿時にはペニスに力が入って前開き口を容易に押し広げるため、カバー体の横側からペニスを直ちに取り出しできる。【０００９】  カバー体は略逆三角形状をしていてパンツに特異のファッション性をもたらし、中間に横縫着部を設けたことで全体が上半部と下半部に分かれ、上半部は本体と密に重合して平坦なスペースを形成するのでこの部分が図柄表示を印刷するのに好適し、例えば動物や球団のロゴマークなどを印刷することで多様な装飾を楽しむことができるメリットがある。【００１０】  通常カバー体はパンツと同じ布材を使用するが、布材裏側に遠赤外線放射物質を含有した薄手のスポンジ布を重ね合わせると、遠赤外線の深達力がペニスに及び、微細血管の拡張、血液循環の促進、酵素生成促進が行われてペニスを活性化し、頻尿の改善、勃起力の高進等が所期される。この場合布材とスポンジ布が一体であり、スポンジ布は復元作用で正形状態を維持するため布材単独と異なってカバー体に皺寄りや形崩れが起きず、貫通している左右の口よりペニスを絶えず正確迅速に取り出しできる。なおスポンジ布にマグネット小片を埋め込むと、遠赤外線放射と磁力線浸透が相乗作用となって細胞活性が一層促進してペニス活性化とともに下半身の充実感が得られる。
【発明を実施するための最良の形態】
【００１１】  図面に基づき本発明を説明すると、図１〜図２においてパンツ１は正面中央に前開き口２を形成したもので、当然ながらペニスはこの前開き口２の内面に臨む。前開き口２は、下端が股間部３に達し上端をパンツ中程までの長さに切断するとともにパンツ布左右を幅狭に重ね合わせることによって形成される。【００１２】  ５はパンツ１の前開き口２の前面に取り付けた略逆三角形状のカバー体であり、パンツのゴム紐口４より股間部３に至る正面側に配置されている。カバー体５は下半部５ｂの左右を除いて周縁を本体１に縫着Ｍし、上半部５ａと下半部５ｂ間に横縫着部Ｎを設け、縫着されない下半部５ｂの左右は開口されて横方向が貫通されるかたちとなる。【００１３】  前開き口２は、そのまゝの状態では左右が重ね合わさって閉じられており、パンツを履くとペニス先端がその内面に接する。前開き口２の重ね合わせ個所は前面にカバー体５が存在するので外見されることはない。重ね合わさった個所は幅狭なため排尿時にペニスに力が入るとおのずから開口し、ペニス先端は突出するので左右が貫通しているカバー体５の左右いずれからもペニスを引き出すことができる。こうすることによって例えば障害等で利き腕側がマヒした場合であっても片方の手でペニスを容易に取り出すことができる。【００１４】  カバー体５の上半部５ａは、中間の横縫着部Ｎから下半部５ｂと截然と区別され、本体１と密着重合して一定のスペースを形成し平面状となる。したがってあらかじめこの部分に図柄表示７を印刷しておくことによってファッション効果を発揮でき、無味乾燥なパンツを見栄えのよいものとすることができる。【００１５】  カバー体５は本体１と同じ布材を使用するが、図３のように裏側に遠赤外線放射物質を含有した薄手のスポンジ布６を貼付することによってペニスに対する血流促進などを増大できる。このスポンジ布６にはあらかじめ極薄の伸縮性布材を片面に設けておくことで引っ張り強さが加わり、カバー体５の正形状態が維持できる。しかして図示はしないがスポンジ布６に複数個のマグネット小片を埋め込むことにより一層の血流促進に役立つので好ましい。すなわち前開き口２側に設けたスポンジ布６からは遠赤外線が放射されるが、マグネット小片を埋設すると磁力線が発生するため遠赤外線と磁力線の相乗作用で生命体に共振作用を起こし血流促進が更に増大する。【００１６】  なお図示はしないが、パンツ本体の前面内側における股間部に合成樹脂からなる針金状のＶ字形枠を設けると睾丸部が支えられるので体裁がよく、またモーターを内蔵した薄形の振動体をパンツ内側に設けて微弱な振動を任意に起こすことで血流促進に役立つが、これらの付随具を設けることも本発明の自由な実施範囲に属する。
【図面の簡単な説明】
【図１】（ａ）は本発明パンツの正面図、（ｂ）はパンツの側面図、（ｃ）は前開き口の俯瞰説明図である。
【図２】パンツの着装状態を示す断面図である。
【図３】カバー体にスポンジ布を貼付したパンツの一部断面図である。
【符号の説明】
１    パンツ本体
２    前開き口
３    股間部
４    ゴム紐口
５    カバー体
５ａ  上半部
５ｂ  下半部
Ｍ    縫着
Ｎ    横縫着部
６    スポンジ布
７    図柄表示
【図１】
2005126878.tif 000003
【図２】
2005126878.tif 000004
【図３】
2005126878.tif 000005